(57)【要約】【課題】バッグの収納部が狭くなってしまうというようなことはなく、口枠の枠体を本体の側部や蓋体の側部に取り付ける作業が非常に簡単なものにしたバッグを提供する。【解決手段】本体１と蓋体２とを見開き自在に重ね合わせたものとし、略コ字状の枠体３ａ、３ｂを対向させて、それぞれの両端を回動自在に連結してなる口枠３の一方の枠体３ａを、本体生地４の側端４ａに連設した枠体保持部８に保持することにより、前記本体１の両側部１ｂ、１ｂに装着すると共に、前記口枠３の他方の枠体３ｂを、蓋体生地９の側端９ａに連設した枠体保持部１１に保持することにより、前記蓋体２の両側部２ｂ、２ｂに装着したものとしている。【選択図】    図３
2010167182.tif 000002
【特許請求の範囲】
【請求項１】
本体（１）と蓋体（２）とを見開き自在に重ね合わせたものとし、略コ字状の枠体（３ａ、３ｂ）を対向させて、それぞれの両端を回動自在に連結してなる口枠（３）の一方の枠体（３ａ）を、本体生地（４）の側端（４ａ）に連設した枠体保持部（８）に保持することにより、前記本体（１）の両側部（１ｂ、１ｂ）に装着すると共に、前記口枠（３）の他方の枠体（３ｂ）を、蓋体生地（９）の側端（９ａ）に連設した枠体保持部（１１）に保持することにより、前記蓋体（２）の両側部（２ｂ、２ｂ）に装着したことを特徴とするバッグ。
【請求項２】
前記枠体保持部（８）を、本体生地（４）の側部（４ａ）に被覆生地（１２）の内端（１２ａ）を連結し、さらにこの本体生地（４）の側部（４ａ）に、務歯列を有するファスナー（１３）の一方のテープ（１３ａ）を連結し、前記被覆生地（１２）の外端（１２ｂ）に、務歯列を有するファスナー（１３）の他方のテープ（１３ｂ）を連結し、前記ファスナー（１３）をスライダー（Ｓ）によって開閉可能として、本体生地（４）の側端（４ａ）に連設したことを特徴とする請求項１記載のバッグ。
【請求項３】
前記枠体保持部（１１）を、蓋体生地（９）の側端（９ａ）に連結した被覆生地（１５）の外端（１５ａ）に、面接着部を有するファスナー（１６）の一方のテープ（１６ａ）を連結し、蓋体生地（９）の側端（９ａ）に連設したものとし、この枠体保持部（１１）に保持する枠体（３ｂ）に、前記ファスナー（１６）の面接着部に面接着可能とした面接着部を有する他方のテープ（１６ｂ）を装着したことを特徴とする請求項１記載のバッグ。
【発明の詳細な説明】
【技術分野】
【０００１】
この発明は、ダレスバッグやアタッシュケースなどの口枠を備えたバッグにおいて、その口枠の取り付けを簡単にしたバッグに関するものである。
【背景技術】
【０００２】
従来、この種のダレスバッグは、例えば図９〜１４に示したように、開口を有する略四角形の偏平の箱状とした本体２１と、開口を有する略四角形の偏平の箱状とした蓋体２２とを見開き自在として二つ重ねにできるようにしており、これら本体２１と蓋体２２のそれぞれの内部をバッグの収納部Ｃとしたものが存在する。そして、これら本体２１と蓋体２２に、略コ字状の枠体２３ａ、２３ｂを対向させて、それぞれの両端を回動自在に連結してなる口枠２３を設けたものとしており、この口枠２３の一方の枠体２３ａを前記本体２１の側部２１ａに取り付け、前記口枠２３の他方の枠体２３ｂを前記蓋体２２の側部２２ａに取り付けたものとしている（非特許文献１）。
【０００３】
このようなダレスバッグにおいて、前記口枠２３の一方の枠体２３ａを前記本体２１の側部２１ａに取り付けたり、前記口枠２３の他方の枠体２３ｂを前記蓋体２２の側部２２ａに取り付けたりするには、次のようにして行っている。
【０００４】
先ず、前記口枠２３の一方の枠体２３ａを前記本体２１の側部２１ａに取り付けるには、図１３に示したように、枠体２３ａに被覆生地２４を巻き付け、この被覆生地２４の両側端に見付け生地２５の一側端をそれぞれ重ねて仮止めし、これらの側端部に縁生地２６をへり巻きして止着する。次に、本体２１を形成する生地（以下、本体生地２７という）の側端を、前記見付け生地２５の他側端に重ねて、これらの側端部に縁生地２６をへり巻きして止着している。
【０００５】
さらに、前記口枠２３の他方の枠体２３ｂを前記蓋体２２の側部２２ａに取り付けるには、図１４に示したように、枠体２３ｂに被覆生地２４を巻き付け、この被覆生地２４の両側端に見付け生地２５の一側端をそれぞれ重ねて仮止めし、これらの側端部に縁生地２６をへり巻きして止着する。次に、蓋体２２を形成する生地（以下、蓋体生地２８という）の側端を、前記見付け生地２５の他側端に重ねて、これらの側端部に縁生地２６をへり巻きして止着している。
【先行技術文献】
【非特許文献】
【０００６】
【非特許文献１】「ＤＵＬＬＥＳ  ＢＡＧ」、株式会社アートフィアー、［平成２１年１月７日検索］、インターネット＜ＵＲＬ：http://www.artphere.com/collection/kakishibu/kaki-dullesf0.html ＞
【発明の概要】
【発明が解決しようとする課題】
【０００７】
上記従来のバッグにおいては、本体生地２７や蓋体生地２８のそれぞれの側端を、見付け生地２５の他側端に重ねて、これらの側端部に縁生地２６をへり巻きして止着する場合には、工業ミシンを用いて縫着するため、少なくとも２〜３ｃｍの縫い代が必要となる。そのため、前記本体生地２７や蓋体生地２８のそれぞれの側端を、見付け生地２５の他側端に重ねた部分が少なくとも２〜３ｃｍ、枠体２３ａ、２３ｂの外側に突出することになり、この突出した分、枠体２３ａ、２３ｂの内側となるバッグの収納部Ｃが狭くなってしまうという問題点を有していた。
【０００８】
さらに、上記従来のバッグにおいては、枠体２３ａ、２３ｂにそれぞれ被覆生地２４を巻き付け、これらの被覆生地２４の両側端に見付け生地２５の一側端を重ねて仮止めし、これらの側端部に縁生地２６をへり巻きして止着する場合も工業ミシンを用いて縫着されるが、この縫着作業は、前記本体生地２６や蓋体生地２７のそれぞれの側端を、見付け生地２５の他側端に重ねて、これらの側端部に縁生地２６をへり巻きして止着する場合の縫着作業とは別々に行われるため、二度手間となり、口枠２３の枠体２３ａ、２３ｂを前記本体２１の側部２１ａや蓋体２２の側部２２ａに取り付ける作業が非常に困難なものになるという問題点を有していた。
【０００９】
そこで、この発明は、上記従来の問題点を解決することをその課題としており、バッグの収納部が狭くなってしまうというようなことはなく、口枠の枠体を本体の側部や蓋体の側部に取り付ける作業が非常に簡単なものにしたバッグを提供することを目的としてなされたものである。
【課題を解決するための手段】
【００１０】
そのため、この発明のバッグは、本体１と蓋体２とを見開き自在に重ね合わせたものとし、略コ字状の枠体３ａ、３ｂを対向させて、それぞれの両端を回動自在に連結してなる口枠３の一方の枠体３ａを、本体生地４の側端４ａに連設した枠体保持部８に保持することにより、前記本体１の両側部１ｂ、１ｂに装着すると共に、前記口枠３の他方の枠体３ｂを、蓋体生地９の側端９ａに連設した枠体保持部１１に保持することにより、前記蓋体２の両側部２ｂ、２ｂに装着したものとしている。
【００１１】
さらに、この発明のバッグは、前記枠体保持部８を、本体生地４の側部４ａに被覆生地１２の内端１２ａを連結し、さらにこの本体生地４の側部４ａに、務歯列を有するファスナー１３の一方のテープ１３ａを連結し、前記被覆生地１２の外端１２ｂに、務歯列を有するファスナー１３の他方のテープ１３ｂを連結し、前記ファスナー１３をスライダーＳによって開閉可能として、本体生地４の側端４ａに連設したものとしている。
【００１２】
また、この発明のバッグは、前記枠体保持部１１を、蓋体生地９の側端９ａに連結した被覆生地１５の外端１５ａに、面接着部を有するファスナー１６の一方のテープ１６ａを連結し、蓋体生地９の側端９ａに連設したものとし、この枠体保持部１１に保持する枠体３ｂに、前記ファスナー１６の面接着部に面接着可能とした面接着部を有する他方のテープ１６ｂを装着したものとしている。
【発明の効果】
【００１３】
この発明のバッグは、以上に述べたように構成されており、バッグの収納部が狭くなってしまうというようなことはなく、口枠の枠体を本体の側部や蓋体の側部に取り付ける作業が非常に簡単なものになった。
【図面の簡単な説明】
【００１４】
【図１】この発明のバッグの斜視図である。
【図２】この発明のバッグの側面図である。
【図３】この発明のバッグの開放状態を示す斜視図である。
【図４】この発明のバッグの口枠の開放状態を示す斜視図である。
【図５】図３中のＡ−Ａ線によるこの発明のバッグの本体に口枠を装着した状態を示す断面図である。
【図６】図３中のＡ−Ａ線においてこの発明のバッグの本体に口枠を装着する前の状態を示す断面図である。
【図７】図３中のＢ−Ｂ線によるこの発明のバッグの蓋体に口枠を装着した状態を示す断面図である。
【図８】図３中のＢ−Ｂ線においてこの発明のバッグの蓋体に口枠を装着する前の状態を示す断面図である。
【図９】従来のバッグの斜視図である。
【図１０】従来のバッグの側面図である。
【図１１】従来のバッグの開放状態を示す斜視図である。
【図１２】従来のバッグの口枠の開放状態を示す斜視図である。
【図１３】図１１中のＣ−Ｃ線による従来のバッグの本体に口枠を装着した状態を示す断面図である。
【図１４】図１１中のＤ−Ｄ線による従来のバッグの蓋体に口枠を装着した状態を示す断面図である。
【発明を実施するための形態】
【００１５】
以下、この発明のバッグを実施するための形態を、図面に基づいて詳細に説明する。
【００１６】
この発明は、図１〜８に示したように、例えばダレスバッグと呼ばれているバッグとして実施することができる。
【００１７】
図に示したバッグは、開口を有する略四角形の偏平の箱状とした本体１と、開口を有する略四角形の偏平のドーム状とした蓋体２とを、それぞれの底面部どうしで接続して見開き自在に重ね合わせたものとしている。このように蓋体２をドーム状とすることによって、バッグの収容量を増大させることができると共に、デザイン的にもいままでにはない際立ったものとなる。
【００１８】
前記本体１の上部１ａと両側部１ｂ、１ｂには、略コ字状の枠体３ａ、３ｂを対向させて、それぞれの両端を回動自在に連結してなる口枠３の一方の枠体３ａを装着すると共に、蓋体２の上部２ａと両側部２ｂ、２ｂには、前記口枠３の他方の枠体３ｂを装着しており、この口枠３の枠体３ａ、３ｂの内側をバッグの収納部Ｃとしている。なお、略コ字状の枠体３ａ、３ｂは、枠体３ａを枠体３ｂよりも一回り大きく形成して、口枠３を閉じたときに、枠体３ａに枠体３ａが嵌まり込むようにしても、枠体３ａと枠体３ａとを同じ大きさ形成して、口枠３を閉じたときに、枠体３ａと枠体３ａとが対向するようにしてもよい。
【００１９】
すなわち、前記本体１の上部１ａにおいては、図示したように、本体１を形成する生地（以下、本体生地４という）の上部に縫着するなどして連結した被覆生地５を前記枠体３ａに巻き付けて、この本体１の上部１ａに取り付ける把手６の取付金具７と共にリベット止めし、本体１の両側部１ｂ、１ｂにおいては、本体生地４の側端４ａに連設した枠体保持部８に前記枠体３ａを保持することにより、前記本体１の上部１ａと両側部１ｂ、１ｂに、前記口枠３の一方の枠体３ａを装着している。
【００２０】
さらに、前記蓋体２の上部２ａにおいては、蓋体２を形成する生地（以下、蓋体生地９という）の上部に縫着するなどして連結した被覆生地１０を前記枠体３ｂに巻き付けてリベット止めし、蓋体２の両側部２ｂ、２ｂにおいては、蓋体生地９の側端９ａに連設した枠体保持部１１に前記枠体３ａを保持することにより、前記蓋体２の上部２ａと両側部２ｂ、２ｂに、前記口枠３の他方の枠体３ｂを装着している。
【００２１】
前記枠体保持部８は、図５、６に示したように、本体生地４の側部４ａに縫着するなどして被覆生地１２の内端１２ａを連結し、さらにこの本体生地４の側部４ａに、務歯列を有するファスナー１３の一方のテープ１３ａを縫着するなどして連結し、前記被覆生地１２の外端１２ｂに、務歯列を有するファスナー１３の他方のテープ１３ｂを縫着するなどして連結し、前記ファスナー１３をスライダーＳによって開閉可能として、本体生地４の側端４ａに連設している。なお、前記被覆生地１２の外端１２ｂにファスナー１３のテープ１３ｂを連結する場合に、この被覆生地１２の外端１２ｂの内側に補強芯Ｒを重ね合わせ、それぞれの端部に縁生地１４をへり巻きして止着したものとすることができる。このようにすれば、前記枠体保持部８が型崩れすることなく、口枠３の枠体３ａが装着し易くなる。
【００２２】
また、前記枠体保持部８は、後に述べる枠体保持部１１のように、本体生地４の側端４ａに縫着するなどして連結した被覆生地１２の外端１２ｂに、面接着部を有するファスナー１６の一方のテープ１６ａを縫着するなどして連結し、本体生地４の側端４ａに連設したものとしてもよい。そして、この枠体保持部８に保持する枠体３ａには、前記ファスナー１６の面接着部に面接着可能とした面接着部を有する他方のテープ１６ｂを装着したものとしてもよい。
【００２３】
前記枠体保持部１１は、図７、８に示したように、蓋体生地９の側端９ａに縫着するなどして連結した被覆生地１５の外端１５ａに、面接着部を有するファスナー１６の一方のテープ１６ａを縫着するなどして連結し、蓋体生地９の側端９ａに連設している。そして、この枠体保持部１１に保持する枠体３ｂには、前記ファスナー１６の面接着部に面接着可能とした面接着部を有する他方のテープ１６ｂを装着したものとしている。なお、前記テープ１６ｂは、枠体３ｂに直接、貼り付けるなどして装着してもよいが、図示したように、枠体３ｂを被覆生地１７により被覆してから、この被覆生地１７に縫着するなどして装着してもよい。
【００２４】
また、前記枠体保持部１１も、先に述べた枠体保持部８のように、蓋体生地９の側端９ａに縫着するなどして被覆生地１５の内端１５ａを連結し、さらにこの蓋体生地９の側端９ａに、務歯列を有するファスナー１３の一方のテープ１３ａを縫着するなどして連結し、前記被覆生地１５の外端１５ｂに、務歯列を有するファスナー１３の他方のテープ１３ｂを縫着するなどして連結し、前記ファスナー１３をスライダーＳによって開閉可能として、蓋体生地９の側端９ａに連設したものとしてもよい。なお、前記被覆生地１５の外端１５ｂにファスナー１３のテープ１３ｂを連結する場合にも、この被覆生地１５の外端１５ｂの内側に補強芯Ｒを重ね合わせ、これらのそれぞれの端部に縁生地１４をへり巻きして止着したものとすることができる。このようにすれば、前記枠体保持部１１が型崩れすることなく、口枠３の枠体３ｂが装着し易くなる。
【００２５】
さらに、前記把手６の内側に位置する本体１の上部１ａには、バッグの止錠１８の本体１８ａを取り付けたものとし、蓋体２の上部２ａには、この本体１８ａに対向する位置に止錠１８の係止体１８ｂを取り付けたものとしている。また、本体１の上部１ａの両端部や本体１の両側部１ｂ、１ｂの下端部に、背負いベルト（図示せず）の止め具１９を取り付けたものとしている。
【００２６】
また、前記本体１や蓋体２の収納部Ｃには、それぞれポケットＰを設けたものとし、これらのポケットＰにバッグ収納物を収納することにより、その収納物の出し入れがし易いようにしている。
【００２７】
なお、本体生地４は、本体１を箱状に維持できる程度の比較的厚い生地からなり、蓋体生地９も、蓋体２をドーム状に維持できる程度の比較的厚い生地からなるものとしている。
【００２８】
以上のように構成されたこの発明のバッグでは、本体生地４に連設した枠体保持部８や、蓋体生地９に連設した枠体保持部１１は、本体１の両側部１ｂ、１ｂや蓋体２の両側部２ｂ、２ｂにそれぞれ位置することになるので、口枠３がこれら両側部１ｂ、１ｂや両側部２ｂ、２ｂの内側に入り込むことなく、この口枠３の内側となるバッグの収納部Ｓが狭くなってしまうようなことはない。
【００２９】
さらに、この発明のバッグでは、本体生地４に連設した枠体保持部８や、蓋体生地９に連設した枠体保持部１１は、これらに口枠３を装着する前にあらかじめ、前記したようにして本体生地４や蓋体生地９に連設しておけばよいので、口枠３を装着する作業とはまったく別々に行うことができ、前記枠体保持部８を本体生地４に連設する作業や、枠体保持部１１を蓋体生地９に連設する作業が困難なものになるということはない。
【００３０】
また、この発明のバッグでは、務歯列を有するファスナー１３とした場合には、このファスナー１３をスライダー１４によって開いた状態にし、枠体保持部８、１１に口枠３を入れ、前記ファスナー１３をスライダー１４によって閉じた状態にするだけで、前記口枠３を枠体保持部８、１１に装着することができるので、この装着作業も非常に簡単なものとなる。
【００３１】
さらに、この発明のバッグでは、面接着部を有するファスナー１６とした場合には、このファスナー１６を口枠３に巻き付けて、このファスナー１６のテープ１６ａを口枠３に設けたファスナー１６のテープ１６ｂに重ね合わせて面接着するだけで、前記口枠３を枠体保持部８、１１に装着することができるので、この場合の装着作業も非常に簡単なものとなる。
【００３２】
以上に述べたように、この発明のバッグは、バッグの収納部Ｃが狭くなってしまうというようなことはなく、口枠３を本体１の側部１ｂや蓋体３の側部２ｂに取り付ける作業が非常に簡単なものになった。
【符号の説明】
【００３３】
１  本体
１ｂ  側部
２  蓋体
２ｂ  側部
３  口枠
３ａ  枠体
３ｂ  枠体
４  本体生地
４ａ  側端
８  枠体保持部
９  蓋体生地
９ａ  側端
１１  枠体保持部
１２  被覆生地
１２ａ  内端
１２ｂ  外端
１３  ファスナー
１３ａ  テープ
１３ｂ  テープ
１５  被覆生地
１５ａ  外端
１６  ファスナー
１６ａ  テープ
１６ｂ  テープ
Ｓ  スライダー
【図１】
2010167182.tif 000003
【図２】
2010167182.tif 000004
【図３】
2010167182.tif 000005
【図４】
2010167182.tif 000006
【図５】
2010167182.tif 000007
【図６】
2010167182.tif 000008
【図７】
2010167182.tif 000009
【図８】
2010167182.tif 000010
【図９】
2010167182.tif 000011
【図１０】
2010167182.tif 000012
【図１１】
2010167182.tif 000013
【図１２】
2010167182.tif 000014
【図１３】
2010167182.tif 000015
【図１４】
2010167182.tif 000016